(57)【要約】      （修正有）【課題】ユーザの認証作業を自動的に行い、ユーザ毎に録画再生管理が可能な録画再生装置を提供する。【解決手段】固有の識別コードを記憶するメモリ４と、該識別コードを送信可能なＢｌｕｅｔｏｏｔｈモジュール３を有する外部装置２と、外部装置２から送信される少なくとも１つの識別コードを送受信可能なＢｌｕｅｔｏｏｔｈモジュール３２と、該識別コードの受信強度を比較して受信強度が最も強い識別コードを出力する比較部３３とを有するリモコン２６と、Ｂｌｕｅｔｏｏｔｈモジュール３及び３２から送信される少なくとも１つの識別コードを受信可能なＢｌｕｅｔｏｏｔｈモジュール２４と、Ｂｌｕｅｔｏｏｔｈモジュール２４で受信した識別コードを比較して受信強度が最も強い識別コードを出力する比較部２５と、比較部２５によって出力された識別コードと放送番組の録画データを関連付けて記録するＨＤＤレコーダ一体型テレビジョン放送受信機。【選択図】図１０
2006094114.tif 000002
【特許請求の範囲】
【請求項１】
ハードディスク及び光ディスクを使用して放送番組の記録再生を行うテレビジョン放送受信機一体型の録画再生装置であって、
第１Bluetoothモジュールを有する外部装置から送信される少なくとも１つの識別コー
ドを送受信可能な第２Bluetoothモジュールと、前記識別コードの受信強度を比較して受
信強度が最も強い識別コードを出力する第１比較手段と、を有する遠隔操作装置と、
前記第１乃至第２Bluetoothモジュールから送信される少なくとも１つの識別コードを
受信可能な第３Bluetoothモジュールと、前記第３Bluetoothモジュールで受信した前記識別コードを比較して、受信強度が最も強い識別コードを出力する第２比較手段と、放送番組録画時に、前記第２比較手段によって出力された識別コードと放送番組の録画データを関連付けることによって、録画データの録画再生管理を行う管理手段と、を有する本体と、を備えることを特徴とする録画再生装置。
【請求項２】
第１Bluetoothモジュールを有する外部装置から送信される少なくとも１つの識別コー
ドを受信可能な第２Bluetoothモジュールと、
前記識別コードの受信強度を比較して、受信強度が最も強い識別コードを出力する第１比較手段と、
放送番組録画時に、前記出力された識別コードと放送番組の録画データを関連付けることによって、録画データの録画再生管理を行う管理手段と、を備えることを特徴とする録画再生装置。
【請求項３】
前記録画再生装置は本体を有し、
前記本体は前記第２Bluetoothモジュールと、前記第１比較手段と、前記管理手段と、
を有することを特徴とする、請求項２に記載の録画再生装置。
【請求項４】
前記録画再生装置は、本体と、遠隔操作装置と、を有しており、
前記遠隔操作装置は、前記第２Bluetoothモジュールと、前記第１比較手段と、を有し
、前記本体は、前記管理手段を有することを特徴とする、請求項２に記載の録画再生装置。
【請求項５】
前記録画再生装置は、遠隔操作装置を備えており、
前記遠隔操作装置は、前記第１Bluetoothモジュールから送信される少なくとも１つの
前記識別コードを受信可能な第３Bluetoothモジュールと、前記第３Bluetoothモジュールで受信した前記識別コードの受信強度を比較して、受信強度が最も強い識別コードを出力する第２比較手段と、を有することを特徴とする、請求項３に記載の録画再生装置。
【請求項６】
前記第２Bluetoothモジュールは、前記第１Bluetoothモジュールから送信された識別コードを本体に送信し、
前記本体は、前記第１乃至第２Bluetoothモジュールから送信される少なくとも１つの
識別コードを受信可能な第３Bluetoothモジュールと、前記第３Bluetoothモジュールで受信した前記識別コードを比較して、受信強度が最も強い識別コードを出力する第２比較手段と、を有することを特徴とする、請求項４に記載の録画再生装置。
【請求項７】
前記録画再生装置は、ビデオテープ、ハードディスク、光ディスクの少なくとも一つの記録媒体を使用して記録することを特徴とする、請求項２乃至６の何れか一つに記載の録画再生装置。
【請求項８】
前記録画再生装置は、テレビジョン放送受信機一体型の録画再生装置であることを特徴とする、請求項７に記載の録画再生装置。
【請求項９】
識別コードを記憶した記憶手段と、前記識別コードを送信可能な第１Bluetoothモジュ
ールとを有する外部装置と、
少なくとも１つの前記識別コードを受信可能な第２Bluetoothモジュールと、前記識別
コードの受信強度を比較して、受信強度が最も強い識別コードを出力する第１比較手段と、放送番組録画時に、前記出力された識別コードと放送番組の録画データを関連付けることによって、録画データの録画再生管理を行う管理手段と、を有する録画再生装置と、を備えることを特徴とする録画再生管理システム。
【請求項１０】
前記録画再生装置は本体を有し、前記本体は前記第２Bluetoothモジュールと、前記第
１比較手段と、前記管理手段と、を有することを特徴とする、請求項９に記載の録画再生管理システム。
【請求項１１】
前記録画再生装置は本体と遠隔操作装置を有しており、
前記遠隔操作装置は前記第２Bluetoothモジュールと、前記第１比較手段と、を有し、
前記本体は、前記管理手段を有することを特徴とする、請求項９に記載の録画再生管理
システム。
【請求項１２】
前記録画再生装置は、遠隔操作装置を備えており、
前記遠隔操作装置は、前記第１Bluetoothモジュールから送信される少なくとも１つの
前記識別コードを受信可能な第３Bluetoothモジュールと、前記第３Bluetoothモジュールで受信した前記識別コードの受信強度を比較して、受信強度が最も強い識別コードを出力する第２比較手段と、を有することを特徴とする、請求項１０に記載の録画再生管理システム。
【請求項１３】
前記第２Bluetoothモジュールは、前記第１Bluetoothモジュールから送信された識別コードを本体に送信し、
前記本体は、前記第１乃至第２Bluetoothモジュールから送信される少なくとも１つの
識別コードを受信可能な第３Bluetoothモジュールと、前記第３Bluetoothモジュールで受信した前記識別コードを比較して、受信強度が最も強い識別コードを出力する第２比較手段と、を有することを特徴とする、請求項１１に記載の録画再生管理システム。
【請求項１４】
前記録画再生装置は、ビデオテープ、ハードディスク、光ディスクの少なくとも一つの記録媒体を使用して記録することを特徴とする請求項９乃至１３の何れか一つに記載の録画再生管理システム。
【請求項１５】
前記録画再生装置は、テレビジョン放送受信機一体型の録画再生装置であることを特徴とする、請求項１４に記載の録画再生管理システム。
【発明の詳細な説明】
【技術分野】
【０００１】
本発明は、Bluetoothモジュールによる無線通信を用いた録画再生管理装置及び録画再
生管理システム、特に、識別コードと録画データを関連付けることによって放送番組の録画再生管理を行う録画再生管理装置及び録画再生管理システムに関する。
【背景技術】
【０００２】
一般に、テレビジョン放送を録画可能な録画再生装置は、複数の放送番組を録画して、録画番組毎のデータ管理を行うことが可能である。しかし、複数のユーザが１台の録画再生装置を使用する場合に、録画番組が何れのユーザによって録画されたのかを特定することは出来なかった。近年、ＨＤＤ録画再生装置や光ディスク録画再生装置等の大容量録画再生装置の普及によって、多数の放送番組を録画することが可能となっており、ユーザ毎に録画番組のデータ管理を行うことが出来れば、ユーザにとって非常に利便性の良い録画再生装置を提供することが出来る。
【０００３】
現在、こうした問題を解決するために、様々な発明が提案されている。例えば、特許文献１では、ユーザの認証データと録画番組に対応付けて記憶させる録画再生装置について記載されている。この録画再生装置の構成して、ユーザ認証データを記憶した認証キーがリモコンに挿入されると、該リモコンから本体に認証データが送信されてユーザの認証が行われ、該ユーザ毎に予約録画及び再生が実行される構成、リモコンに認証キーを挿入する代わりに、指紋や音声等のユーザの身体により構成される特徴を用いた生体認証データを入力してユーザ認証を行う構成、ユーザ毎にパスワードを設けて、リモコンに該パスワードを入力することによってユーザ認証を行う構成等が記載されている。
【特許文献１】特開２００３−３０９７９２号公報（第４−１１頁、第１―６図）
【発明の開示】
【発明が解決しようとする課題】
【０００４】
上述の通り、特許文献１に記載の録画再生装置では、ユーザ毎に録画データを記録することは出来るが、ユーザの認証を行う際に、認証キーのリモコンへの挿入、生体認証データの入力、パスワードの入力等、ユーザ認証の為に煩わしい操作が必要となる。
【０００５】
したがって、本発明の目的は、ユーザの認証作業を自動的に行い、ユーザ毎に録画再生管理が可能な録画再生装置を提供することにある。
【課題を解決するための手段】
【０００６】
第１発明に係る録画再生装置は、ハードディスク及び光ディスクを使用して放送番組の録画再生を行うテレビジョン放送受信機一体型の録画再生装置であって、第１Bluetooth
モジュールを有する外部装置から送信される少なくとも１つの識別コードを送受信可能な第２Bluetoothモジュールと、識別コードの受信強度を比較して受信強度が最も強い識別
コードを出力する第１比較手段と、を有する遠隔操作装置と、第１乃至第２Bluetoothモ
ジュールから送信される少なくとも１つの識別コードを受信可能な第３Bluetoothモジュ
ールと、第３Bluetoothモジュールで受信した前記識別コードを比較して、受信強度が最
も強い識別コードを出力する第２比較手段と、放送番組録画時に、第２比較手段によって出力された識別コードと放送番組の録画データを関連付けることによって、録画データの録画再生管理を行う管理手段と、を有する本体と、を備えることを特徴とする。
【０００７】
一般に受信強度は物理的距離が近い程強くなるが、この録画再生装置によれば、外部装置から出力される識別コードを録画再生装置の遠隔操作装置に設けられた第２Bluetooth
モジュールで受信し、該識別コードの受信強度を比較して、受信強度が最も強い識別コー
ドを出力するので、録画再生装置の遠隔操作装置から物理的距離が最も近い外部装置を特定することが出来る。また、外部装置から出力される識別コードを録画再生装置の本体に設けられた第３Bluetoothモジュールで受信し、該識別コードの受信強度を比較して、受
信強度が最も強い識別コードを出力するので、録画再生装置の本体から物理的距離が最も近い外部装置を特定することが出来る。したがって、録画再生装置の遠隔操作装置、若しくは、本体からの物理的距離が最も近い外部装置を特定できるので、ユーザが外部装置を携帯している場合には、記録再生装置の遠隔操作装置、若しくは、本体の最も近くに位置するユーザを特定することができ、ユーザが認証データの入力等の作業を行うことなく、自動的にユーザを特定することが可能となる。
【０００８】
また、この録画再生装置によれば、外部装置と録画再生装置の本体との間、外部装置と録画再生装置の遠隔操作装置との間、録画再生装置の本体と遠隔操作装置との間に於ける識別コードの送受信が、Bluetoothモジュールを使用した無線通信で行われるので、赤外
線通信等の指向性特性を備えた通信に比して、遮蔽物が存在しても識別コードの送受信が可能となり、利便性が高い。
【０００９】
第２発明に係る録画再生装置は、第１Bluetoothモジュールを有する外部装置から送信
される少なくとも１つの識別コードを受信可能な第２Bluetoothモジュールと、識別コー
ドの受信強度を比較して、受信強度が最も強い識別コードを出力する第１比較手段と、放送番組録画時に、出力された識別コードと放送番組の録画データを関連付けることによって、録画データの録画再生管理を行う管理手段と、を備えることを特徴とする。
【００１０】
この録画再生装置によれば、外部装置と録画再生装置との間で、識別コードの送受信がBluetoothモジュールを使用した無線通信で行われるので、赤外線通信等の指向性特性を
備えた通信に比して、遮蔽物が存在しても識別コードの送受信が可能となり、利便性が高い。
【００１１】
また、一般に受信強度は物理的距離が近い程強くなるが、この録画再生装置では、外部装置から出力される識別コードを第２Bluetoothモジュールで受信し、該識別コードの受
信強度を比較して、受信強度が最も強い識別コードを出力するので、録画再生装置から物理的距離が最も近い外部装置を特定することが出来る。したがって、録画再生装置からの物理的距離が最も近い外部装置を特定できるので、ユーザが外部装置を携帯している場合には、最も記録再生装置の近くに位置するユーザを特定することができ、ユーザが認証データの入力等の作業を行うことなく、自動的にユーザを特定することが可能となる。
【００１２】
また、この録画再生装置によれば、放送番組録画時に識別コードと録画データを関連付けることによって、識別コード毎に録画データの録画再生管理を行うことが出来る。
【００１３】
第３発明に係る録画再生装置は、第２発明に係る録画再生装置に於いて、本体を有し、前記本体は前記第２Bluetoothモジュールと、前記第１比較手段と、前記管理手段と、を
有することを特徴とする。
【００１４】
この録画再生装置では、外部装置から出力される識別コードを録画再生装置の本体に設けられた第２Bluetoothモジュールで受信し、該識別コードの受信強度を比較して、受信
強度が最も強い識別コードを出力するので、録画再生装置の本体から物理的距離が最も近い外部装置を特定することが出来る。したがって、録画再生装置の本体からの物理的距離が最も近い外部装置を特定できるので、ユーザが外部装置を携帯している場合には、最も記録再生装置の本体の近くに位置するユーザを特定することができ、ユーザが認証データの入力等の作業を行うことなく、自動的にユーザを特定することが可能となる。
【００１５】
第４発明に係る録画再生装置は、第２発明に係る録画再生装置に於いて、本体と、遠隔操作装置と、を有しており、遠隔操作装置は、第２Bluetoothモジュールと、第１比較手
段と、を有し、本体は、管理手段を有することを特徴とする。
【００１６】
この録画再生装置では、外部装置から出力される識別コードを録画再生装置の遠隔操作装置に設けられた第２Bluetoothモジュールで受信し、該識別コードの受信強度を比較し
て、受信強度が最も強い識別コードを出力するので、録画再生装置の遠隔装置から物理的距離が最も近い外部装置を特定することが出来る。したがって、録画再生装置の本体からの物理的距離が最も近い外部装置を特定できるので、ユーザが外部装置を携帯している場合には、最も記録再生装置の遠隔操作装置の近くに位置するユーザを特定することができ、ユーザが認証データの入力等の作業を行うことなく、自動的にユーザを特定することが可能となる。
【００１７】
第５発明に係る録画再生装置は、第３発明に係る録画再生装置に於いて、遠隔操作装置を備えており、遠隔操作装置は、第１Bluetoothモジュールから送信される少なくとも１
つの識別コードを受信可能な第３Bluetoothモジュールと、第３Bluetoothモジュールで受信した識別コードの受信強度を比較して、受信強度が最も強い識別コードを出力する第２比較手段と、を有することを特徴とする。
【００１８】
この録画再生装置によれば、外部装置から出力される識別コードを録画再生装置の本体に設けられた第２Bluetoothモジュールで受信し、該識別コードの受信強度を比較して、
受信強度が最も強い識別コードを出力するので、録画再生装置の本体から物理的距離が最も近い外部装置を特定することが出来る。また、外部装置から出力される識別コードを録画再生装置の遠隔操作装置に設けられた第３Bluetoothモジュールで受信し、該識別コー
ドの受信強度を比較して、受信強度が最も強い識別コードを出力するので、録画再生装置の遠隔操作装置から物理的距離が最も近い外部装置を特定することが出来る。したがって、録画再生装置の本体、若しくは、遠隔操作装置からの物理的距離が最も近い外部装置を特定できるので、ユーザが外部装置を携帯している場合には、記録再生装置の本体、若しくは、遠隔操作装置の最も近くに位置するユーザを特定することができ、ユーザが認証データの入力等の作業を行うことなく、自動的にユーザを特定することが可能となる。
【００１９】
第６発明に係る録画再生装置は、第４発明に係る録画再生装置に於いて、第２Bluetoothモジュールは、第１Bluetoothモジュールから送信された識別コードを本体に送信し、本体は、第１乃至第２Bluetoothモジュールから送信される少なくとも１つの識別コードを
受信可能な第３Bluetoothモジュールと、第３Bluetoothモジュールで受信した識別コードを比較して、受信強度が最も強い識別コードを出力する第２比較手段と、を有することを特徴とする。
【００２０】
この録画再生装置によれば、外部装置から出力される識別コードを録画再生装置の遠隔操作装置に設けられた第２Bluetoothモジュールで受信し、該識別コードの受信強度を比
較して、受信強度が最も強い識別コードを出力するので、録画再生装置の遠隔操作装置から物理的距離が最も近い外部装置を特定することが出来る。また、外部装置から出力される識別コードを録画再生装置の本体に設けられた第３Bluetoothモジュールで受信し、該
識別コードの受信強度を比較して、受信強度が最も強い識別コードを出力するので、録画再生装置の本体から物理的距離が最も近い外部装置を特定することが出来る。したがって、録画再生装置の遠隔操作装置、若しくは、本体からの物理的距離が最も近い外部装置を特定できるので、ユーザが外部装置を携帯している場合には、記録再生装置の遠隔操作装置、若しくは、本体の最も近くに位置するユーザを特定することができ、ユーザが認証データの入力等の作業を行うことなく、自動的にユーザを特定することが可能となる。
【００２１】
また、この録画再生装置によれば、本体と遠隔操作装置の間で識別コードの送受信がBluetoothモジュールを使用した無線通信によって行われるので、赤外線通信等の指向性特
性を備えた通信に比して、遮蔽物が存在しても識別コードの送受信が可能となる。
【００２２】
第７発明に係る録画再生装置は、第２乃至第６発明の何れか一つに係る録画再生装置に於いて、ビデオテープ、ハードディスク、光ディスクの少なくとも一つの記録媒体を使用して記録することを特徴とする。
【００２３】
この記録再生装置によれば、第２乃至第６発明の何れか一つに係る録画再生装置の構成を、ビデオテープ、ハードディスク、光ディスクの少なくとも一つの記録媒体を使用した録画再生装置に適用することによって、ユーザが認証データの入力作業等を行うことなく、自動的にユーザを特定できる利便性の高い録画再生装置を提供することが出来る。
【００２４】
第８発明に係る録画再生装置は、第７発明に係る録画再生装置に於いて、録画再生装置は、テレビジョン放送受信機一体型の録画再生装置であることを特徴とする。
【００２５】
この録画再生装置によれば、第７発明に係る録画再生装置の構成を、テレビジョン放送受信機一体型の録画再生装置に適用することによって、ユーザが認証データの入力作業等を行うことなく、自動的にユーザを特定できる利便性の高い録画再生装置を提供することが出来る。
【００２６】
第９発明に係る録画再生管理システムは、識別コードを記憶した記憶手段と、識別コードを送信可能な第１Bluetoothモジュールとを有する外部装置と、少なくとも１つの識別
コードを受信可能な第２Bluetoothモジュールと、識別コードの受信強度を比較して、受
信強度が最も強い識別コードを出力する第１比較手段と、放送番組録画時に、出力された識別コードと放送番組の録画データを関連付けることによって、録画データの録画再生管理を行う管理手段と、を有する録画再生装置と、を備えることを特徴とする。
【００２７】
一般に受信強度は物理的距離が近い程強くなるが、この録画再生管理システムでは、外部装置から出力される識別コードを第２Bluetoothモジュールで受信し、該識別コードの
受信強度を比較して、受信強度が最も強い識別コードを出力するので、録画再生装置から物理的距離が最も近い外部装置を特定することが出来る。したがって、録画再生装置からの物理的距離が最も近い外部装置を特定できるので、ユーザが外部装置を携帯している場合には、最も記録再生装置の近くに位置するユーザを特定することができ、ユーザが認証データの入力等の作業を行うことなく、自動的にユーザを特定することが可能となる。
【００２８】
また、この録画再生管理システムによれば、外部装置と録画再生装置との間で、識別コードの送受信がBluetoothモジュールを使用した無線通信で行われるので、赤外線通信等
の指向性特性を備えた通信に比して、遮蔽物が存在しても識別コードの送受信が可能となり、利便性が高い。
【００２９】
また、この録画再生管理システムによれば、放送番組録画時に識別コードと録画データを関連付けることによって、識別コード毎に録画データの録画再生管理を行うことが出来る。
【００３０】
第１０発明に係る録画再生管理システムは、第９発明に係る録画再生管理システムに於いて、録画再生装置は本体を有し、本体は第２Bluetoothモジュールと、第１比較手段と
、管理手段と、を有することを特徴とする。
【００３１】
この録画再生管理システムによれば、外部装置から出力される識別コードを録画再生装置の本体に設けられた第２Bluetoothモジュールで受信し、該識別コードの受信強度を比
較して、受信強度が最も強い識別コードを出力するので、録画再生装置の本体から物理的距離が最も近い外部装置を特定することが出来る。したがって、録画再生装置の本体からの物理的距離が最も近い外部装置を特定できるので、ユーザが外部装置を携帯している場合には、最も記録再生装置の本体の近くに位置するユーザを特定することができ、ユーザが認証データの入力等の作業を行うことなく、自動的にユーザを特定することが可能とな
る。
【００３２】
第１１発明に係る録画再生管理システムは、第９発明に係る録画再生管理システムに於いて、録画再生装置は本体と遠隔操作装置を有しており、遠隔操作装置は第２Bluetooth
モジュールと、第１比較手段と、を有し、本体は、管理手段を有することを特徴とする。
【００３３】
この録画再生管理システムによれば、外部装置から出力される識別コードを録画再生装置の遠隔操作装置に設けられた第２Bluetoothモジュールで受信し、該識別コードの受信
強度を比較して、受信強度が最も強い識別コードを出力するので、録画再生装置の遠隔装置から物理的距離が最も近い外部装置を特定することが出来る。したがって、録画再生装置の本体からの物理的距離が最も近い外部装置を特定できるので、ユーザが外部装置を携帯している場合には、最も記録再生装置の遠隔操作装置の近くに位置するユーザを特定することができ、ユーザが認証データの入力等の作業を行うことなく、自動的にユーザを特定することが可能となる。
【００３４】
第１２発明に係る録画再生管理システムは、第１０発明に係る録画再生管理システムに於いて、録画再生装置は、遠隔操作装置を備えており、遠隔操作装置は、第１Bluetooth
モジュールから送信される少なくとも１つの識別コードを受信可能な第３Bluetoothモジ
ュールと、第３Bluetoothモジュールで受信した識別コードの受信強度を比較して、受信
強度が最も強い識別コードを出力する第２比較手段と、を有することを特徴とする。
【００３５】
この録画再生管理システムによれば、外部装置から出力される識別コードを録画再生装置の本体に設けられた第２Bluetoothモジュールで受信し、該識別コードの受信強度を比
較して、受信強度が最も強い識別コードを出力するので、録画再生装置の本体から物理的距離が最も近い外部装置を特定することが出来る。また、外部装置から出力される識別コードを録画再生装置の遠隔操作装置に設けられた第３Bluetoothモジュールで受信し、該
識別コードの受信強度を比較して、受信強度が最も強い識別コードを出力するので、録画再生装置の遠隔操作装置から物理的距離が最も近い外部装置を特定することが出来る。したがって、録画再生装置の本体、若しくは、遠隔操作装置からの物理的距離が最も近い外部装置を特定できるので、ユーザが外部装置を携帯している場合には、記録再生装置の本体、若しくは、遠隔操作装置の最も近くに位置するユーザを特定することができ、ユーザが認証データの入力等の作業を行うことなく、自動的にユーザを特定することが可能となる。
【００３６】
第１３発明に係る録画再生管理システムは、第１１発明に係る録画再生管理システムに於いて、第２Bluetoothモジュールは、第１Bluetoothモジュールから送信された識別コードを本体に送信し、本体は、第１乃至第２Bluetoothモジュールから送信される少なくと
も１つの識別コードを受信可能な第３Bluetoothモジュールと、第３Bluetoothモジュールで受信した識別コードを比較して、受信強度が最も強い識別コードを出力する第２比較手段と、を有することを特徴とする。
【００３７】
この録画再生管理システムによれば、外部装置から出力される識別コードを録画再生装置の遠隔操作装置に設けられた第２Bluetoothモジュールで受信し、該識別コードの受信
強度を比較して、受信強度が最も強い識別コードを出力するので、録画再生装置の遠隔操作装置から物理的距離が最も近い外部装置を特定することが出来る。また、外部装置から出力される識別コードを録画再生装置の本体に設けられた第３Bluetoothモジュールで受
信し、該識別コードの受信強度を比較して、受信強度が最も強い識別コードを出力するので、録画再生装置の本体から物理的距離が最も近い外部装置を特定することが出来る。したがって、録画再生装置の遠隔操作装置、若しくは、本体からの物理的距離が最も近い外部装置を特定できるので、ユーザが外部装置を携帯している場合には、記録再生装置の遠
隔操作装置、若しくは、本体の最も近くに位置するユーザを特定することができ、ユーザが認証データの入力等の作業を行うことなく、自動的にユーザを特定することが可能となる。
【００３８】
また、この録画再生管理システムによれば、本体と遠隔操作装置の間で識別コードの送受信がBluetoothモジュールを使用した無線通信によって行われるので、赤外線通信等の
指向性特性を備えた通信に比して、遮蔽物が存在しても識別コードの送受信が可能となる。
【００３９】
第１４発明に係る録画再生管理システムは、第９乃至１３発明の何れか一つに係る録画再生管理システムに於いて、録画再生装置は、ビデオテープ、ハードディスク、光ディスクの少なくとも一つの記録媒体を使用して記録することを特徴とする。
【００４０】
この録画再生管理システムによれば、第９乃至第１３発明の何れか一つに係る録画再生装置の構成を、ビデオテープ、ハードディスク、光ディスクの少なくとも一つの記録媒体を使用した録画再生装置に適用することによって、ユーザが認証データの入力作業等を行うことなく、自動的にユーザを特定できる利便性の高い録画再生管理システムを提供することが出来る。
【００４１】
第１５発明に係る録画再生管理システムは、第１６発明に係る録画再生管理システムに於いて、録画再生装置は、テレビジョン放送受信機一体型の録画再生装置であることを特徴とする。
【００４２】
この録画再生管理システムによれば、第１６発明に係る録画再生管理システムにおける録画再生装置の構成を、テレビジョン放送受信機一体型の録画再生装置に適用することによって、ユーザが認証データの入力作業等を行うことなく、自動的にユーザを特定できる利便性の高い録画再生管理システムを提供することが出来る。
【発明の効果】
【００４３】
本発明によれば、ユーザの認証作業を自動的に行い、ユーザ毎に録画再生管理が可能な録画再生装置を提供することが出来る。
【発明を実施するための最良の形態】
【００４４】
（１）第１実施形態
[構成]
図１は、本実施形態に係る録画再生管理システム１の概略構成図である。録画再生管理システム１は、外部装置２と、リモコン２６と、ＨＤＤレコーダ一体型テレビジョン放送受信機７とを備える。
【００４５】
外部装置２は、Bluetoothモジュール３、アンテナ部３ａ、メモリ４、電源部５、制御
部６を備える。Bluetoothモジュール３は、周波数を１秒間に約１６００回切換える周波
数ホッピング方式を用いて、２．４ＧＨｚの周波数帯で無線通信を行うＲＦ部（図示せず）と、通信制御を行うベースバンド部（図示せず）を有する。Bluetoothモジュール３は
アンテナ部３ａを介して信号を送信する。メモリ４は不揮発性メモリであり、所定の識別コードが記憶されている。電源部５は、外部装置２に備えられた電源スイッチ（図示せず）を切換えることによって、外部装置２に設置された電池（図示せず）から電圧をBluetoothモジュール３、メモリ４、制御部６に供給する。制御部６は、メモリ４に記憶された
識別コードをBluetoothモジュール３に出力し、Bluetoothモジュール３を制御して、該識別コードを送信させる。
【００４６】
なお、本実施形態に於いては、外部装置２に電源スイッチを設けることにより、電源の
オン／オフを切換える構成としたが、該電源スイッチを設けずに、常時電源がオンの状態としても良い。また、本実施形態に於いては、１台のＨＤＤレコーダ一体型テレビジョン放送受信機７に対して複数の外部装置２がセットになっており、夫々の外部装置２がメモリ４に固有の識別コードを記憶しているものとする。また、外部装置２は本実施形態に記載の装置に限らず、Bluetoothモジュール３と、アンテナ部３ａと、メモリ４と、制御部
６とを搭載した携帯電話を外部装置２としても使用しても良く、複数の外部装置２を使用する場合には、Bluetoothモジュール３と、アンテナ部３ａと、メモリ４と、制御部６と
を共通の規格とすれば良い。また、携帯電話に設けられた充電器接続部に電気的に接続する為の接続部を備え、Bluetoothモジュール３と、アンテナ部３ａと、メモリ４と、制御
部６とを搭載した装置を、外部装置２として使用しても良い。この場合、外部装置２は携帯電話から電圧を供給されるので、外部装置２に電池を搭載する必要はない。
【００４７】
リモコン２６は、ＨＤＤレコーダ一体型テレビジョン放送受信機７を遠隔操作する為の装置であり、電源部２７、入力キー２８、制御部２９、赤外線発光部３０とを備える。電源部２７は、リモコン２６の内部に設置された電池（図示せず）から制御部２９に電圧を供給する。入力キー２８は、リモコン２６の外部に複数設置されたキーであり、ユーザからの入力を受け付けて、制御部２９に信号を出力する。制御部２９は入力キー２８からのユーザ入力を受け付けて、赤外線発光部３０を介してこれをＨＤＤレコーダ一体型テレビジョン放送受信機７側に出力する。赤外線発光部３０は、制御部２９からの信号をＨＤＤレコーダ一体型テレビジョン放送受信機７に設置された赤外線受光部２２に送信する。
【００４８】
ＨＤＤレコーダ一体型テレビジョン放送受信機７は、アンテナ部８、チューナ部９、信号処理部１０、ハードディスクドライブ（ＨＤＤ）１１、切換スイッチ１２、デマルチプレクサ（ＤＥＭＵＸ）１３、音声信号処理部１４、スピーカ部１５、映像信号処理部１６、表示部１７、ＯＳＤ処理部１８、ＲＡＭ１９、ＥＥＰＲＯＭ２０、入力キー２１、赤外線受光部２２、制御部２３、Bluetoothモジュール２４、アンテナ部２４ａ、比較部２５
とを備える。
【００４９】
アンテナ部８は、テレビジョン放送の放送電波を受信し、電気信号である放送信号に変換する。チューナ部９は、アンプ、フィルタ、混合器、ＰＬＬ等（図示せず）で構成されており、放送信号に所定の処理を施して信号処理部１０に出力する。信号処理部１０は、チューナ部９からの信号をデジタル化して圧縮し、ＨＤＤ１１に出力するとともに、切換スイッチ１２を介してＤＥＭＵＸ１３に出力する。ＨＤＤ１１は磁気ディスクや不揮発性メモリ等（図示せず）を内蔵しており、信号処理部１０からの信号を記録して放送番組のコンテンツを録画するとともに、記録された信号を切換スイッチ１２を介してＤＥＭＵＸ１３に出力する。切換スイッチ１２は、制御部２３によって制御され、信号処理部１０とＨＤＤ１１からの信号を切り換えて、ＤＥＭＵＸ１３に出力する。ＤＥＭＵＸ１３は、多重化されている放送信号から映像信号と音声信号を分離抽出し、各信号を音声信号処理部１４及び映像信号処理部１６に出力する。音声信号処理部１４は、デジタル圧縮された音声信号を伸張し、アナログ変換してスピーカ部１５に出力する。映像信号処理部１６は、デジタル圧縮された映像信号を伸張し、アナログ変換して表示部１７に出力する。ＯＳＤ処理部１８は、ＥＥＰＲＯＭ２０に記憶されているＯＳＤ画面の画像データを表示部１７に出力させる。
【００５０】
ＲＡＭ１９は、揮発性メモリであり、制御部２３の制御により所定のデータを記憶する。ＥＥＰＲＯＭ２０は、書き換え可能な不揮発性メモリであり、制御部２３の制御により、所定のデータを記憶する。入力キー２１は、ＨＤＤレコーダ一体型テレビジョン放送受信機７に設置された複数のキーであり、ユーザからの入力を受け付けて制御部２３に出力する。赤外線受光部２２は、ＨＤＤレコーダ一体型テレビジョン放送受信機７に設置され、リモコン２６に設置された赤外線発光部３０から出力された信号を受信し、制御部２３
に出力する。制御部２３は、入力キー２１、赤外線受光部２２、比較部２５からの出力を受け付けて、チューナ部９、ＨＤＤ１１、切換スイッチ１２、ＯＳＤ制御部１８、ＲＡＭ１９、ＥＥＰＲＯＭ２０、Bluetoothモジュール２４を制御する。
【００５１】
アンテナ部２４ａはBluetoothモジュール２４に接続されており、外部装置２内のBluetoothモジュール３からアンテナ部３ａを介して送信された無線信号を受信し、Bluetooth
モジュール２４に出力する。Bluetoothモジュール２４はアンテナ部２４ａからの信号に
所定の処理を施してデジタル信号化し、比較部２５に出力する。比較部２５は、Bluetoothモジュール２４から出力された信号の受信強度（ＲＳＳＩ）を比較し、最も受信強度の
強い信号を制御部２３に出力する。
【００５２】
[ユーザ登録方法]
図２は、本実施形態に係る録画再生管理システム１によるユーザ登録方法に関するフローチャートである。
【００５３】
ＨＤＤレコーダ一体型テレビジョン放送受信機７内の制御部２３が入力キー２１を介してユーザ登録操作を受け付けると（Ｓ１１）、制御部２３はＥＥＰＲＯＭ２０に記憶されたメニュー画面のデータを読み出し、ＯＳＤ処理部１８を制御して、表示部１７にメニュー画面を出力させる（Ｓ１２）。本実施形態に於いては、外部装置２のメモリ４に記憶された固有の識別コードが、所定のユーザコードと関連付けられて、ＥＥＰＲＯＭ２０に予め記憶されており、該ユーザコード毎に固有の情報を登録することによって、識別コード毎の情報が登録されることになる。ステップ１３に於いて、ユーザの名称、年齢等のデータがユーザによって入力されると、制御部２３はこれらのユーザ登録情報をＥＥＰＲＯＭ２０に記憶させる（Ｓ１３）。複数のユーザが夫々外部装置２を使用する場合には、このユーザ登録方法に関するフローチャートのステップを繰り返すことによって、ユーザ登録が完了する。
【００５４】
なお、上述のユーザ登録は、リモコン２６及びＨＤＤレコーダ一体型テレビジョン放送受信機７の何れの入力キー２１を操作することによっても実行することが出来る。
【００５５】
[録画管理方法]  
図３は、本実施形態に係る録画再生管理システム１による録画管理方法に関するフローチャートである。なお、図３の録画管理方法に於いては、複数のユーザによって外部装置２が夫々携帯されていることを前提とする。
【００５６】
ステップ２１に於いて、ＨＤＤレコーダ一体型テレビジョン放送受信機７に備えられた入力キー２１が押下され、放送番組の録画操作、若しくは、録画予約操作が受け付けられた場合、ＨＤＤレコーダ一体型テレビジョン放送受信機７内の制御部２３がBluetoothモ
ジュール２４を制御して、外部装置２から識別コードを受信させる（Ｓ２２）。Bluetoothモジュール２４によって識別コードが受信された場合には、ステップ２６に移行する。
反対に、識別コード２４を受信しなかった場合には、制御部２３はＥＥＰＲＯＭ２０に記憶されたＯＳＤ画面を読み出し、ＯＳＤ処理部１８を制御して、表示部１７に外部装置２の電源が入っていない旨の警告表示を出力させる（Ｓ２４）。そして、ユーザによって外部装置２の電源スイッチがオンの状態にされ、ＨＤＤ７内のBluetoothモジュール２４が
識別コードを受信した場合（Ｓ２５）、ステップ２６に移行する。反対に、Bluetoothモ
ジュール２４が識別コードを受信しなかった場合には、ステップ２５を繰り返す。ただし、本実施形態のように外部装置２に電源スイッチを設ける構成ではなく、外部装置２の各部位に常時電圧が供給される構成を採用した場合には、ステップ２４乃至２５を省略することが出来る。
【００５７】
ステップ２６に於いて、Bluetoothモジュール２４がが複数の識別コードを受信した場
合には、ＨＤＤレコーダ一体型テレビジョン放送受信機７内の比較部２５に於いて、受信
された複数の識別コードの受信強度（ＲＳＳＩ）を比較して、最も受信強度の強い受信強度を有する識別コードを抽出し、制御部２３に出力し（Ｓ２７）、ステップ２８に移行する。反対に、ステップ２６に於いて、Bluetoothモジュール２４が一つの識別コードのみ
を受信した場合には、ステップ２８に移行する。
【００５８】
ステップ２８に於いて、制御部２３は比較部２５から出力された識別コードに対応するユーザコードをＥＥＰＲＯＭ２０から読み出し、ＯＳＤ処理部１８を制御してメニュー画面を表示部１７に出力し、ステップ２９に移行する。ステップ２９に於いて、メニュー画面に表示されたユーザ名が録画操作を行うユーザと異なる場合には、ユーザを変更することが出来る。制御部２３が入力キー２１を介してユーザの変更操作を受け付けた場合（Ｓ３０）、制御部２３は録画する放送番組のデータとユーザコードとを関連付けて録画処理、若しくは、録画予約処理を行う（Ｓ３１）。この時、ユーザコードと録画番組の情報は、ＨＤＤ１１内の管理データ領域に記憶される。また、ステップ２９に於いて、制御部２３がユーザの変更操作を受け付けない場合には、ステップ３１に移行する。
【００５９】
なお、受信強度が最も強い識別コードを記憶したメモリ４を搭載する外部装置２が、ＨＤＤレコーダ一体型テレビジョン放送受信機７からの物理的距離が最も近い外部装置２と一般的に判断することが出来るので、外部装置２を携帯したユーザがＨＤＤレコーダ一体型テレビジョン放送受信機７を操作する場合、該ユーザの識別コードが比較部２５によって抽出される。しかし、ＨＤＤレコーダ一体型テレビジョン放送受信機７を使用する環境によっては、物理的距離が最も近い外部装置２が必ずしも受信強度が最も強い識別コードを記憶する外部装置２として抽出されない可能性もある。したがって、本実施形態に於いては、ユーザの変更を受け付ける構成としてステップ２９を設けることにより、この点に対応することが可能である。
【００６０】
[再生管理方法]  
図４は、本実施形態に係る録画再生管理システム１による再生管理方法に関するフローチャートである。なお、図４の再生管理方法に於いては、複数のユーザによって外部装置２が夫々携帯されていることを前提とする。
【００６１】
ステップ４１に於いて、ＨＤＤレコーダ一体型テレビジョン放送受信機７に備えられた入力キー２１が押下され、録画された放送番組の再生操作が受け付けられた場合、ＨＤＤレコーダ一体型テレビジョン放送受信機７内の制御部２３がBluetoothモジュール２４を
制御して、外部装置２から識別コードを受信させる（Ｓ４２）。Bluetoothモジュール２
４によって識別コードが受信された場合には（Ｓ４３）、ステップ４６に移行する。反対に、Bluetoothモジュール２４によって識別コードが受信されなかった場合には、制御部
２３はＥＥＰＲＯＭ２０に記憶されたＯＳＤ画面を読み出し、ＯＳＤ処理部１８を制御して、表示部１７に外部装置２の電源が入っていない旨の警告表示を出力させる（Ｓ４４）。そして、ユーザによって外部装置２の電源スイッチがオンの状態にされ、ＨＤＤ７内のBluetoothモジュール２４が識別コードを受信した場合（Ｓ４５）、ステップ４６に移行
する。反対に、Bluetoothモジュール２４が識別コードを受信しなかった場合には、ステ
ップ４５を繰り返す。ただし、本実施形態のように外部装置２に電源スイッチを設ける構成ではなく、外部装置２の各部位に常時電圧が供給される構成を採用した場合には、ステップ４４乃至４５を省略することが出来る。
【００６２】
ステップ４６に於いて、Bluetoothモジュール２４が複数の識別コードを受信した場合
には、ＨＤＤレコーダ一体型テレビジョン放送受信機７内の比較部２５に於いて、受信された複数の識別コードの受信強度（ＲＳＳＩ）を比較して、最も受信強度の強い受信強度を有する識別コードを抽出し、制御部２３に出力し（Ｓ４７）、ステップ４８に移行する。反対に、ステップ４６に於いて、Bluetoothモジュール２４が一つの識別コードのみを
受信した場合には、ステップ４８に移行する。
【００６３】
ステップ４８に於いて、制御部２３は比較部２５から出力された識別コードに対応するユーザコードをＥＥＰＲＯＭ２０から読み出し、ＯＳＤ処理部１８とＨＤＤ１１とを制御して、該ユーザコードに対応付けられて記憶された録画番組データの番組一覧を表示部１７に出力し、ステップ４９に移行する。具体的な番組一覧については、図１１を参照して説明する。図１１は、ユーザ毎に録画された放送番組のデータを示す番組一覧１００であり、ユーザ名を表示する小画面１０１と、録画番組の静止画像が出力される小画面１０２ａ及び録画番組の放送日時、放送局名、番組名等の番組情報が表示される小画面１０２ｂからなる小画面１０２、現在選択されている録画番組のカーソル１０３を備えている。
【００６４】
ステップ４９に於いて、番組一覧１００の小画面１０１に表示されたユーザ名が録画操作を行うユーザ名と異なる場合には、番組一覧を所望のユーザ名のデータに切換えて表示することが出来る。そして、制御部２３が入力キー２１を介して番組一覧の変更操作を受け付けた場合（Ｓ５０）、制御部２３は該当するユーザ名の番組一覧を表示部１７に出力させ、ステップ５１に移行する。反対に、ステップ４９に於いて、制御部２３が表示部１７に出力された番組一覧１００を他のユーザの番組一覧１００に切換えて出力する操作を受け付けない場合には、ステップ５１に移行する。
【００６５】
なお、受信強度が最も強い識別コードを記憶したメモリ４を搭載する外部装置２が、ＨＤＤレコーダ一体型テレビジョン放送受信機７からの物理的距離が最も近い外部装置２と一般的に判断することが出来るので、外部装置２を携帯したユーザがＨＤＤレコーダ一体型テレビジョン放送受信機７を操作する場合、該ユーザの識別コードが比較部２５によって抽出される。しかし、ＨＤＤレコーダ一体型テレビジョン放送受信機７を使用する環境によっては、物理的距離が最も近い外部装置２が必ずしも受信強度が最も強い識別コードを記憶する外部装置２として抽出されない可能性もある。したがって、本実施形態に於いては、ユーザの変更を受け付ける構成としてステップ４９を設けることにより、この点に対応することが可能である。
【００６６】
ステップ５１に於いて、番組一覧１００に表示された複数の小画面１０２の内、ユーザによって所望の録画番組にカーソル１０３が移動され、所定の録画番組が選択されると、制御部２３はＨＤＤ１１を制御して、これを表示部１７に出力する。
【００６７】
[作用効果]
本実施形態に係る録画再生管理システム１によれば、外部装置２とＨＤＤレコーダ一体型テレビジョン放送受信機７との間で、Bluetoothモジュール３及びBluetoothモジュール２４を使用した無線通信によって識別コードの送受信が行われるので、赤外線通信等の指向性特性を備えた通信に比して、遮蔽物が存在しても識別コードの送受信が可能となり、利便性が高い。
【００６８】
また、一般に受信強度は物理的距離が近い程強くなるが、本実施形態に係る録画再生管理システム１によれば、外部装置２のBluetoothモジュール３から出力される識別コード
をＨＤＤレコーダ一体型テレビジョン放送受信機７内のBluetoothモジュール２４で受信
し、比較部２５で該識別コードの受信強度を比較して、受信強度が最も強い識別コードを制御部２３に出力するので、ＨＤＤレコーダ一体型テレビジョン放送受信機７からの物理的距離が最も近い外部装置２を特定することが出来る。したがって、ＨＤＤレコーダ一体型テレビジョン放送受信機７からの物理的距離が最も近い外部装置２を特定できるので、ユーザが外部装置２を携帯している場合に、最もＨＤＤレコーダ一体型テレビジョン放送受信機７の近くに位置するユーザを特定することができ、ユーザが認証データの入力等の作業を行うことなく、自動的にユーザを特定することが可能となる。
【００６９】
また、本実施形態に係る録画再生管理システム１によれば、放送番組録画時に識別コードと録画データを関連付けることによって、識別コード毎に録画データの録画再生管理を行うことが出来る。
（２）第２実施形態
[構成] 
図５は、本実施形態に係る録画再生管理システム１の概略構成図である。図２に図示された録画再生管理システム１の構成については、前述の第１実施形態の構成（図１参照）と略同一であるので、同一部分に関しては、図１に付与された番号と同一番号を付与し、説明を省略する。したがって、ここでは第１実施形態と異なる構成について説明する。
【００７０】
リモコン２６は、ＨＤＤレコーダ一体型テレビジョン放送受信機７を遠隔操作する為の装置であり、電源部２７、入力キー２８、制御部２９、赤外線発光部３０、メモリ３１、Bluetoothモジュール３２、アンテナ部３２ａとを備える。電源部２７は、リモコン２６
の内部に設置された電池（図示せず）から制御部２９、メモリ３１、Bluetoothモジュー
ル３２に電圧を供給する。なお、本実施形態に於いては、リモコン２６に電源スイッチ（図示せず）が設けられており、該電源スイッチの切換えによってリモコン２６内の各部位への電圧供給が切換えられる。入力キー２８は、リモコン２６の外部に複数設置されたキーであり、ユーザからの入力を受け付けて、制御部２９に信号を出力する。アンテナ部３２ａはBluetoothモジュール３２に接続されており、外部装置２内のBluetoothモジュール３からアンテナ部３ａを介して送信された無線信号を受信し、Bluetoothモジュール３２
に出力する。Bluetoothモジュール３２はアンテナ部３２ａからの信号に所定の処理を施
してデジタル信号化し、比較部３３に出力する。比較部３３は、Bluetoothモジュール３
２から出力された信号の受信強度（ＲＳＳＩ）を比較し、最も受信強度の強い信号を有する識別コードを制御部２９に出力する。制御部２９は、Bluetoothモジュール３２を制御
して無線信号を受信させる。また、制御部２９は、入力キー２８からのユーザ入力を受け付けるとともに、比較部３３から出力された識別コードをメモリ３１に記憶させ、赤外線発光部３０を介してこれらをＨＤＤレコーダ一体型テレビジョン放送受信機７側に出力する。
【００７１】
また、本実施形態に於けるＨＤＤレコーダ一体型テレビジョン放送受信機７は、図１に図示されたアンテナ部２４ａ、Bluetoothモジュール２４、比較部２５を搭載していない
ので、Bluetoothモジュールを使用した無線通信は、外部装置２とリモコン２６との間で
実行される。
【００７２】
[ユーザ登録方法]
本実施形態に係る録画再生管理システム１によるユーザ登録方法は、前述の第１実施形態に係る録画再生管理システム１によるユーザ登録方法と同一であるので、ここでは説明を省略する。
【００７３】
[録画管理方法]  
図６は、本実施形態に係る録画再生管理システム１による録画管理方法に関するフローチャートである。なお、図６の録画管理方法に於いては、複数のユーザによって外部装置２が夫々携帯されており、リモコン２６の電源スイッチがオンの状態になっていることを前提とする。
【００７４】
ステップ６１に於いて、リモコン２６に備えられた入力キー２８が押下され、放送番組の録画操作、若しくは、録画予約操作が受け付けられた場合、リモコン２６内の制御部２９がBluetoothモジュール３２を制御して、外部装置２から識別コードを受信させる（Ｓ
６２）。Bluetoothモジュール３２によって識別コードが受信された場合には（Ｓ６３）
、ステップ６７に移行する。反対に、識別コード２４を受信しなかった場合には、制御部２９は識別コードを受信していないことを示す信号を、赤外線発光部３０を介してＨＤＤレコーダ一体型テレビジョン放送受信機７に出力する（Ｓ６４）。ＨＤＤレコーダ一体型テレビジョン放送受信機７の制御部２３は、赤外線受光部２２を介して該信号を受け付け、ＥＥＰＲＯＭ２０に記憶されたＯＳＤ画面を読み出し、ＯＳＤ処理部１８を制御して、外部装置２の電源が入っていない旨の警告表示を表示部１７に出力させる（Ｓ６５）。そして、ユーザによって外部装置２の電源スイッチがオンの状態にされ、リモコン２６内のBluetoothモジュール３２が識別コードを受信した場合（Ｓ６６）、ステップ６７に移行
する。反対に、Bluetoothモジュール３２が識別コードを受信しなかった場合には（Ｓ６
６）、ステップ６６を繰り返す。ただし、本実施形態のように外部装置２に電源スイッチを設ける構成ではなく、外部装置２の各部位に常時電圧が供給される構成を採用した場合には、ステップ６４乃至６６を省略することが出来る。
【００７５】
ステップ６７に於いて、リモコン２６内のBluetoothモジュール３２が複数の識別コー
ドを受信した場合には、比較部３３に於いて、受信された複数の識別コードの受信強度（ＲＳＳＩ）を比較して、最も受信強度の強い受信強度を有する識別コードを抽出し、制御部２９に出力する。制御部２９は、入力キー２８を介して受け付けた録画／録画予約に関するユーザ入力と該識別コードを、赤外線発光部３０を介してＨＤＤレコーダ一体型テレビジョン放送受信機７に出力し（Ｓ６８）、ステップ７０に移行する。反対に、ステップ６７に於いて、Bluetoothモジュール３２が一つの識別コードのみを受信した場合には、
比較部３３は該識別コードを制御部２９に出力し、制御部２９は入力キー２８を介して受け付けた録画／録画予約に関するユーザ入力と該識別コードを、赤外線発光部３０を介してＨＤＤレコーダ一体型テレビジョン放送受信機７に出力し（Ｓ６９）、ステップ７０に移行する。
【００７６】
ステップ７０に於いて、ＨＤＤ７内の制御部２３は、赤外線受光部２２を介して受け付けた識別コードに対応するユーザコードをＥＥＰＲＯＭ２０から読み出し、ＯＳＤ処理部１８を制御してメニュー画面を表示部１７に出力し、ステップ７１に移行する。ステップ７１に於いて、メニュー画面に表示されたユーザ名が録画／録画予約操作を行うユーザと異なる場合には、ユーザを変更することが出来る。リモコン２６の入力キー２８を介して制御部２９がユーザの変更操作を受け付け、赤外線発光部３０を介してこれがＨＤＤレコーダ一体型テレビジョン放送受信機７に出力された場合（Ｓ７１）、制御部２３は選択されたユーザ名のユーザコードを読み出し、録画／録画予約される番組と関連付けて記憶されるユーザコードを変更する（Ｓ７２）。そして、ＨＤＤレコーダ一体型テレビジョン放送受信機７内の制御部２３は、録画／録画予約する放送番組のデータとユーザコードとを関連付けて録画処理、若しくは、録画予約処理を行う（Ｓ７３）。この時、これらの情報は、ＨＤＤ１１内の管理データ領域に記憶される。また、ステップ７１に於いて、制御部２３がユーザの変更操作を受け付けない場合には、ステップ７３に移行する。
【００７７】
なお、受信強度が最も強い識別コードを記憶したメモリ４を搭載する外部装置２が、ＨＤＤレコーダ一体型テレビジョン放送受信機７からの物理的距離が最も近い外部装置２と一般的に判断することが出来るので、外部装置２を携帯したユーザがＨＤＤレコーダ一体型テレビジョン放送受信機７を操作する場合、該ユーザの識別コードが比較部２５によって抽出される。しかし、ＨＤＤレコーダ一体型テレビジョン放送受信機７を使用する環境によっては、物理的距離が最も近い外部装置２が必ずしも受信強度が最も強い識別コードを記憶する外部装置２として抽出されない可能性もある。したがって、本実施形態に於いては、ユーザの変更を受け付ける構成としてステップ７１を設けることにより、この点に対応することが可能である。
【００７８】
[再生管理方法]  
図７は、本実施形態に係る録画再生管理システム１による再生管理方法に関するフローチャートである。なお、図７の録画管理方法に於いては、複数のユーザによって外部装置２が夫々携帯されており、リモコン２６の電源スイッチがオンの状態になっていることを前提とする。
【００７９】
ステップ８１に於いて、リモコン２６に備えられた入力キー２８が押下され、録画された放送番組の再生操作が受け付けられた場合、リモコン２６内の制御部２９がBluetooth
モジュール３２を制御して、外部装置２から識別コードを受信させる（Ｓ８２）。Bluetoothモジュール３２によって識別コードが受信された場合には（Ｓ８３）、ステップ８７
に移行する。反対に、Bluetoothモジュール３２によって識別コードが受信されなかった
場合には、制御部２９は識別コードを受信していないことを示す信号を、赤外線発光部３０を介してＨＤＤレコーダ一体型テレビジョン放送受信機７に出力する（Ｓ８４）。ＨＤＤレコーダ一体型テレビジョン放送受信機７の制御部２３は、赤外線受光部２２を介して該信号を受け付け、ＥＥＰＲＯＭ２０に記憶されたＯＳＤ画面を読み出し、ＯＳＤ処理部１８を制御して、外部装置２の電源が入っていない旨の警告表示を表示部１７に出力させる（Ｓ８５）。そして、ユーザによって外部装置２の電源スイッチがオンの状態にされ、リモコン２６内のBluetoothモジュール３２が識別コードを受信した場合（Ｓ８６）、ス
テップ８７に移行する。反対に、Bluetoothモジュール３２が識別コードを受信しなかっ
た場合には（Ｓ８６）、ステップ８６を繰り返す。ただし、本実施形態のように外部装置２に電源スイッチを設ける構成ではなく、外部装置２の各部位に常時電圧が供給される構成を採用した場合には、ステップ８４乃至８６を省略することが出来る。
【００８０】
ステップ８７に於いて、リモコン２６内のBluetoothモジュール３２が複数の識別コー
ドを受信した場合には、比較部３３に於いて、受信された複数の識別コードの受信強度（ＲＳＳＩ）を比較して、最も受信強度の強い受信強度を有する識別コードを抽出し、制御部２９に出力する。制御部２９は、入力キー２８を介して受け付けた録画された放送番組の再生に関するユーザ入力と該識別コードとを赤外線発光部３０を介してＨＤＤレコーダ一体型テレビジョン放送受信機７に出力し（Ｓ８８）、ステップ９０に移行する。反対に、ステップ８７に於いて、Bluetoothモジュール３２が一つの識別コードのみを受信した
場合には、比較部３３は該識別コードを制御部２９に出力し、制御部２９は入力キー２８を介して受け付けた録画番組の再生に関するユーザ入力と該識別コードとを赤外線発光部３０を介してＨＤＤレコーダ一体型テレビジョン放送受信機７に出力し（Ｓ８９）、ステップ９０に移行する。
【００８１】
ステップ９０に於いて、ＨＤＤ７内の制御部２３は、赤外線受光部２２を介して受け付けた識別コードに対応するユーザコードをＥＥＰＲＯＭ２０から読み出し、ＯＳＤ処理部１８とＨＤＤ１１とを制御して、該ユーザコードに対応付けられて記憶された録画番組データの番組一覧を表示部１７に出力し、ステップ９１に移行する。具体的な番組一覧については、図１１を参照して説明する。図１１は、ユーザ毎に録画された放送番組のデータを示す番組一覧１００であり、ユーザ名を表示する小画面１０１と、録画番組の静止画像が出力される小画面１０２ａ及び録画番組の放送日時、放送局名、番組名等の番組情報が表示される小画面１０２ｂからなる小画面１０２、現在選択されている録画番組のカーソル１０３を備えている。
【００８２】
ステップ９１に於いて、番組一覧１００の小画面１０１に表示されたユーザ名が録画番組の再生操作を行うユーザ名と異なる場合には、番組一覧１００を所望のユーザ名のデータに切換えて表示することが出来る。そして、リモコン２６の入力キー２８を介して制御部２９がユーザの変更操作を受け付け、赤外線発光部３０を介してこれがＨＤＤレコーダ一体型テレビジョン放送受信機７に出力された場合（Ｓ９１）、制御部２３は該当するユ
ーザ名の番組一覧１００を表示部１７に出力させ（Ｓ９２）、ステップ９３に移行する。反対に、ステップ９１に於いて、制御部２３が表示部１７に出力された番組一覧１００を他のユーザの番組一覧１００に切換えて出力する操作を受け付けない場合には、ステップ９３に移行する。
【００８３】
なお、受信強度が最も強い識別コードを記憶したメモリ４を搭載する外部装置２が、ＨＤＤレコーダ一体型テレビジョン放送受信機７からの物理的距離が最も近い外部装置２と一般的に判断することが出来るので、外部装置２を携帯したユーザがＨＤＤレコーダ一体型テレビジョン放送受信機７を操作する場合、該ユーザの識別コードが比較部２５によって抽出される。しかし、ＨＤＤレコーダ一体型テレビジョン放送受信機７を使用する環境によっては、物理的距離が最も近い外部装置２が必ずしも受信強度が最も強い識別コードを記憶する外部装置２として抽出されない可能性もある。したがって、本実施形態に於いては、ユーザの変更を受け付ける構成としてステップ９１を設けることにより、この点に対応することが可能である。
【００８４】
ステップ９３に於いて、番組一覧１００に表示された複数の小画面１０２の内、ユーザによって所望の録画番組にカーソル１０３が移動され、所定の録画番組が選択されると、制御部２３はＨＤＤ１１を制御して、これを表示部１７に出力する。
【００８５】
[作用効果]
本実施形態に係る録画再生管理システム１によれば、外部装置２とリモコン２６との間で、Bluetoothモジュール３及びBluetoothモジュール３２を使用した無線通信によって識別コードの送受信が行われるので、赤外線通信等の指向性特性を備えた通信に比して、遮蔽物が存在しても識別コードの送受信が可能となり、利便性が高い。
【００８６】
また、一般に受信強度は物理的距離が近い程強くなるが、本実施形態に係る録画再生管理システム１によれば、外部装置２のBluetoothモジュール３から出力される識別コード
をリモコン２６内のBluetoothモジュール３２で受信し、比較部３３で該識別コードの受
信強度を比較して、受信強度が最も強い識別コードを制御部２９に出力するので、リモコン２６からの物理的距離が最も近い外部装置２を特定することが出来る。したがって、リモコン２６からの物理的距離が最も近い外部装置２を特定できるので、ユーザが外部装置２を携帯している場合に、最もリモコン２６の近くに位置するユーザを特定することができ、ユーザが認証データの入力等の作業を行うことなく、自動的にユーザを特定することが可能となる。
【００８７】
また、本実施形態に係る録画再生管理システム１によれば、放送番組録画時に識別コードと録画データを関連付けることによって、識別コード毎に録画データの録画再生管理を行うことが出来る。
（３）第３実施形態
[構成]
図８は、本実施形態に係る録画再生管理システム１の概略構成図である。図８に図示された外部装置２及びＨＤＤレコーダ一体型テレビジョン放送受信機７の構成は、前述の第１実施形態に於ける外部装置２及びＨＤＤレコーダ一体型テレビジョン放送受信機７の構成（図１参照）と夫々同一であり、リモコン２６の構成は、前述の第２実施形態に於けるリモコン２６の構成（図５参照）と同一であるので、同一部分に関して、概略構成図１及び５に付与された番号と同一番号を付与し、説明を省略する。
【００８８】
[ユーザ登録方法]
本実施形態に係る録画再生管理システム１によるユーザ登録方法は、前述の第１実施形
態に係る録画再生管理システム１によるユーザ登録方法と同一であるので、ここでは説明を省略する。
【００８９】
[録画管理方法]  
本実施形態に係る録画再生管理システム１による録画管理方法は、外部装置２内のメモリ４に記憶された識別コードをBluetoothモジュール３によってＨＤＤレコーダ一体型テ
レビジョン放送受信機７に送信し、ＨＤＤレコーダ一体型テレビジョン放送受信機７内のBluetoothモジュール２４で受信された該識別コードに基づいて、放送番組の録画／予約
録画の管理を行う方法と、外部装置２内のメモリ４に記憶された識別コードをBluetooth
モジュール３によって、リモコン２６に送信し、リモコン２６内のBluetoothモジュール
３２で受信された該識別コードが赤外線通信によってＨＤＤレコーダ一体型テレビジョン放送受信機７に送信され、該識別コードに基づいて、放送番組の録画／録画予約の管理を行う方法とで構成される。したがって、これらの録画管理方法は、前述の第１乃至第２実施形態に係る録画再生管理システム１による録画管理方法と同一であるので、ここでは説明を省略する。
【００９０】
[再生管理方法]  
本実施形態に係る録画再生管理システム１による再生管理方法は、外部装置２内のメモリ４に記憶された識別コードをBluetoothモジュール３によってＨＤＤレコーダ一体型テ
レビジョン放送受信機７に送信し、ＨＤＤレコーダ一体型テレビジョン放送受信機７内のBluetoothモジュール２４で受信された該識別コードに基づいて、録画番組の再生管理を
行う方法と、外部装置２内のメモリ４に記憶された識別コードをBluetoothモジュール３
によって、リモコン２６に送信し、リモコン２６内のBluetoothモジュール３２で受信さ
れた該識別コードが赤外線通信によってＨＤＤレコーダ一体型テレビジョン放送受信機７に送信され、該識別コードに基づいて、録画番組の再生管理を行う方法とで構成される。したがって、これらの録画再生管理方法は、前述の第１乃至第２実施形態に係る録画再生管理システム１による録画管理方法と同一であるので、ここでは説明を省略する。
【００９１】
[作用効果]
本実施形態に係る録画再生管理システム１によれば、前述の第１乃至第２実施形態に係る録画再生管理システム１と同様の作用効果を有する。  
（４）第４実施形態
[構成]
図９は、本実施形態に係る録画再生管理システム１の概略構成図である。図９に図示された録画再生管理システム１の構成については、前述の第３実施形態に係る録画再生管理システム１の構成（図８参照）と略同一であるので、同一部分に関しては、図１の概略構成図に付与された番号と同一番号を付与し、説明を省略する。したがって、ここでは第３実施形態と異なる構成について説明する。
【００９２】
本実施形態に係る録画再生管理システム１に関する構成は、第３実施形態の構成から、ＨＤＤレコーダ一体型テレビジョン放送受信機７に搭載された赤外線受光部２２及び比較部２５、リモコン６に搭載された赤外線発光部３０とを取り除いた構成である。したがって、本実施形態では、外部装置２とリモコン２６との間の識別コードの送受信は、第３実施形態と同様に、Bluetoothモジュールを使用した無線通信で行われるが、リモコン２６
へのユーザ入力は、赤外線通信を使用してＨＤＤレコーダ一体型テレビジョン放送受信機７に送信されるのではなく、リモコン２６内のBluetoothモジュール３２からＨＤＤレコ
ーダ一体型テレビジョン放送受信機７内のBluetoothモジュール２４に対して送信される
。
【００９３】
[ユーザ登録方法]
本実施形態に係る録画再生管理システム１によるユーザ登録方法は、前述の第１実施形態に係る録画再生管理システム１によるユーザ登録方法と同一であるので、ここでは説明を省略する。
【００９４】
[録画管理方法]  
本実施形態に係る録画再生管理システム１による録画管理方法は、前述の第２実施形態に係る録画再生管理システム１による録画管理方法（図６参照）と略同一であので、ここでは異なる部分についてのみ説明する。
【００９５】
図６のステップ６４に於いて、第２実施形態に係る録画管理方法では、リモコン２６内のBluetoothモジュール３２が外部装置２から識別コードを未受信の場合に、赤外線通信
によって所定の信号をＨＤＤレコーダ一体型テレビジョン放送受信機７に送信するが、本実施形態に係る録画管理方法では、リモコン２６内のBluetoothモジュール３２から所定
の信号をＨＤＤレコーダ一体型テレビジョン放送受信機７に送信し、ＨＤＤレコーダ一体型テレビジョン放送受信機７内のBluetoothモジュール２４が該信号を受信する。
【００９６】
また、図６のステップ６８及び６９に於いて、第２実施形態に係る録画管理方法では、リモコン２６内のBluetoothモジュール３２が受信した識別コードが、赤外線通信によっ
てＨＤＤレコーダ一体型テレビジョン放送受信機７に送信されるが、本実施形態に於いては、リモコン２６内のBluetoothモジュール３２が受信した識別コードが、該Bluetoothモジュール３２によってＨＤＤレコーダ一体型テレビジョン放送受信機７に送信され、ＨＤＤレコーダ一体型テレビジョン放送受信機７内のBluetoothモジュール２４が該識別コー
ドを受信する。
【００９７】
また、図６のステップ７１に於いて、第２実施形態に係る録画管理方法では、リモコン２６で受け付けられたユーザ入力が赤外線通信によってＨＤＤレコーダ一体型テレビジョン放送受信機７に送信されるが、本実施形態に於いては、リモコン２６内のBluetoothモ
ジュール３２からユーザ入力に関する信号を送信し、ＨＤＤレコーダ一体型テレビジョン放送受信機７内のBluetoothモジュール２４が該信号を受信する。
【００９８】
[再生管理方法]  
本実施形態に係る録画再生管理システム１による再生管理方法は、前述の第２実施形態に係る録画再生管理システム１による録画管理方法（図７参照）と略同一であるので、ここでは異なる部分についてのみ説明する。
【００９９】
図７のステップ８４に於いて、第２実施形態に係る録画管理方法では、リモコン２６内のBluetoothモジュール３２が外部装置２から識別コードを未受信の場合に、赤外線通信
によって所定の信号をＨＤＤレコーダ一体型テレビジョン放送受信機７に送信するが、本実施形態に係る録画管理方法では、リモコン２６内のBluetoothモジュール３２から所定
の信号をＨＤＤレコーダ一体型テレビジョン放送受信機７に送信し、ＨＤＤレコーダ一体型テレビジョン放送受信機７内のBluetoothモジュール２４が該信号を受信する。
【０１００】
また、図７のステップ８８及び８９に於いて、第２実施形態に係る録画管理方法では、リモコン２６内のBluetoothモジュール３２が受信した識別コードが、赤外線通信によっ
てＨＤＤレコーダ一体型テレビジョン放送受信機７に送信されるが、本実施形態に於いては、リモコン２６内のBluetoothモジュール３２が受信した識別コードが、該Bluetoothモジュール３２によってＨＤＤレコーダ一体型テレビジョン放送受信機７に送信され、ＨＤＤレコーダ一体型テレビジョン放送受信機７内のBluetoothモジュール２４が該識別コー
ドを受信する。
【０１０１】
また、図７のステップ９１に於いて、第２実施形態に係る録画管理方法では、リモコン２６で受け付けられたユーザ入力が赤外線通信によってＨＤＤレコーダ一体型テレビジョン放送受信機７に送信されるが、本実施形態に於いては、リモコン２６内のBluetoothモ
ジュール３２からユーザ入力に関する信号を送信し、ＨＤＤレコーダ一体型テレビジョン放送受信機７内のBluetoothモジュール２４が該信号を受信する。
【０１０２】
[作用効果]
本実施形態に係る録画再生管理システム１によれば、前述の第１実施形態にかかる録画再生管理システム１と同様の作用効果を有する。
【０１０３】
また、本実施形態に係る録画再生管理システム１によれば、リモコン２６とＨＤＤレコーダ一体型テレビジョン放送受信機７との間で、Bluetoothモジュール３２及びBluetoothモジュール２４を使用した無線通信によって識別コード及びユーザ入力の送受信が行われるので、赤外線通信等の指向性特性を備えた通信に比して、遮蔽物が存在しても識別コードの送受信が可能となり、利便性が高い。
（５）第５実施形態
[構成]
図１０は、本実施形態に係る録画再生管理システム１の概略構成図である。図５に図示された録画再生管理システム１の構成については、前述の第４実施形態の構成（図９参照）と略同一であるので、同一部分に関しては、図９の概略構成図に付与された番号と同一番号を付与し、説明を省略する。したがって、ここでは第１実施形態と異なる構成について説明する。
【０１０４】
本実施形態に係る録画再生管理システム１に関する構成は、第４実施形態に於けるＨＤＤレコーダ一体型テレビジョン放送受信機７の構成に、比較部２５を追加した構成である。したがって、本実施形態では、第４実施形態と同様に、外部装置２とリモコン２６との識別コードの送受信と、リモコン２６とＨＤＤ７との信号の送受信とを、Bluetoothモジ
ュールを使用した無線通信で実行する構成に加えて、外部装置２とＨＤＤレコーダ一体型テレビジョン放送受信機７との識別コードの送受信についてもBluetoothモジュールを使
用した無線通信で実行する構成が追加される。
【０１０５】
[ユーザ登録方法]
本実施形態に係る録画再生管理システム１によるユーザ登録方法は、前述の第１実施形態に係る録画再生管理システム１によるユーザ登録方法と同一であるので、ここでは説明を省略する。
【０１０６】
[録画管理方法]  
本実施形態に係る録画再生管理システム１による録画管理方法は、外部装置２内のメモリ４に記憶された識別コードをBluetoothモジュール３によってＨＤＤレコーダ一体型テ
レビジョン放送受信機７に送信し、ＨＤＤレコーダ一体型テレビジョン放送受信機７内のBluetoothモジュール２４で受信された該識別コードに基づいて、放送番組の録画／予約
録画の管理を行う方法と、外部装置２内のメモリ４に記憶された識別コードがBluetooth
モジュール３によってリモコン２６に送信され、リモコン２６内のBluetoothモジュール
３２で受信された該識別コードが該BluetoothモジュールによってＨＤＤレコーダ一体型
テレビジョン放送受信機７に送信され、ＨＤＤレコーダ一体型テレビジョン放送受信機７内のBluetoothモジュール２４によって受信された該識別コードに基づいて、放送番組の
録画／録画予約の管理を行う方法とで構成される。したがって、これらの録画管理方法は、前述の第１及び第４実施形態に係る録画再生管理システム１による録画管理方法を有す
る方法であるので、ここでは説明を省略する。
【０１０７】
[再生管理方法]  
本実施形態に係る録画再生管理システム１による再生管理方法は、外部装置２内のメモリ４に記憶された識別コードをBluetoothモジュール３によってＨＤＤレコーダ一体型テ
レビジョン放送受信機７に送信し、ＨＤＤレコーダ一体型テレビジョン放送受信機７内のBluetoothモジュール２４で受信された該識別コードに基づいて、録画番組の再生管理を
行う方法と、外部装置２内のメモリ４に記憶された識別コードがBluetoothモジュール３
によって、リモコン２６に送信され、リモコン２６内のBluetoothモジュール３２で受信
された該識別コードが該BluetoothモジュールによってＨＤＤレコーダ一体型テレビジョ
ン放送受信機７に送信され、ＨＤＤレコーダ一体型テレビジョン放送受信機７内のBluetoothモジュール２４によって受信された該識別コードに基づいて、録画番組の再生管理を
行う方法とで構成される。したがって、これらの録画再生管理方法は、前述の第１及び第４実施形態に係る録画再生管理システム１による録画管理方法を有する方法であるので、ここでは説明を省略する。
【０１０８】
[作用効果]
本実施形態に係る録画再生管理システム１によれば、前述の第１及び第４実施形態に係る録画再生管理システム１と同様の作用効果を有する。
（６）その他の実施形態
上述の第１乃至第５実施形態に係る録画再生管理システム１に於いては、ＨＤＤレコーダ一体型テレビジョン放送受信機７が使用されているが、ユーザ毎に録画／予約録画管理、及び、録画再生管理が可能な装置であって、Bluetoothモジュールを使用して無線通信
可能であれば、ＨＤＤレコーダ一体型テレビジョン放送受信機７の代わりに、ＨＤＤレコーダ、ＤＶＤ等の光ディスク記録媒体に放送番組を録画する光ディスク録画再生装置、ＶＣＲ、ＨＤＤレコーダと光ディスク録画再生装置とＶＣＲの内、２つ以上の装置を搭載した録画再生装置、及び、ＶＣＲとＨＤＤレコーダと光ディスク記録媒体の内、１つ以上を搭載したテレビジョン放送受信機でも良い。この場合、第１乃至第５実施形態に係る録画再生管理システム１の構造を適用することによって、ユーザが認証データの入力作業等を行うことなく、自動的にユーザを特定できる利便性の高い録画再生管理システム１を提供することが出来る。
【図面の簡単な説明】
【０１０９】
【図１】第１実施形態に係る録画再生管理システムに関する概略構成図
【図２】第１実施形態に係るユーザ登録方法に関するフローチャート
【図３】第１実施形態に係る録画管理方法に関するフローチャート
【図４】第１実施形態に係る再生管理方法に関するフローチャート
【図５】第２実施形態に係る録画再生管理システムに関する概略構成図
【図６】第２実施形態に係る録画管理方法に関するフローチャート
【図７】第２実施形態に係る再生管理方法に関するフローチャート
【図８】第３実施形態に係る録画再生管理システムに関する概略構成図
【図９】第４実施形態に係る録画再生管理システムに関する概略構成図
【図１０】第５実施形態に係る録画再生管理システムに関する概略構成図
【図１１】第１実施形態に係る番組一覧に関する図
【符号の説明】
【０１１０】
１        録画再生管理システム      
２        外部装置
３        Bluetoothモジュール
３ａ      アンテナ部    
４        メモリ    
５        電源部
６        制御部    
７        ＨＤＤレコーダ一体型テレビジョン放送受信機    
８        アンテナ部    
９        チューナ部    
１０      信号処理部  
１１      ハードディスクドライブ  
１２      切換スイッチ
１３      デマルチプレクサ      
１４      音声信号処理部
１５      スピーカ部
１６      映像信号処理部    
１７      表示部  
１８      ＯＳＤ処理部
１９      ＲＡＭ  
２０      ＥＥＰＲＯＭ
２１      入力キー
２２      赤外線受光部
２３      制御部
２４      Bluetoothモジュール
２４ａ    アンテナ部
２５      比較部
２６      リモコン
２７      電源部
２８      入力キー
２９      制御部
３０      赤外線発光部
３１      メモリ
３２      Bluetoothモジュール
３２ａ    アンテナ部
３３      比較部
１００    番組一覧
１０１    小画面
１０２    小画面
１０２ａ  小画面
１０２ｂ  小画面
１０３    カーソル
【図１】
2006094114.tif 000003
【図２】
2006094114.tif 000004
【図３】
2006094114.tif 000005
【図４】
2006094114.tif 000006
【図５】
2006094114.tif 000007
【図６】
2006094114.tif 000008
【図７】
2006094114.tif 000009
【図８】
2006094114.tif 000010
【図９】
2006094114.tif 000011
【図１０】
2006094114.tif 000012
【図１１】
2006094114.tif 000013